(57)【要約】【課題】インターロックスイッチを設けた場合であっても、薄型化が図れるプロジェクターを提供する。【解決手段】プロジェクターは、光源装置と、電源コネクターを介して供給された電力を光源装置に供給する電源装置と、光源装置および電源装置を収納する外装筐体２とを備える。外装筐体２には、光源装置の配設位置に対応した位置に交換用開口部８が形成されているとともに、交換用開口部８を閉塞するランプカバー９が着脱自在に設けられている。プロジェクターは、電源コネクターおよび電源装置間に電気的に接続され、ランプカバー９の着脱に連動してスイッチ部６１が押圧されることで電源コネクターから電源装置への電力供給を許容または遮断するインターロックスイッチ６を備える。スイッチ部６１の押圧方向は、プロジェクターの高さ方向と直交するように設定されている。【選択図】図４
2011203622.tif 000002
【特許請求の範囲】
【請求項１】
光源装置と、電源コネクターを介して外部から供給された電力を前記光源装置に供給する電源装置と、前記光源装置および前記電源装置を内部に収納する外装筐体とを備えたプロジェクターであって、
前記外装筐体には、前記光源装置の配設位置に対応した位置に交換用開口部が形成されているとともに、前記交換用開口部を閉塞する蓋体が着脱自在に設けられ、
前記電源コネクターおよび前記電源装置間に電気的に接続され、前記蓋体の着脱に連動してスイッチ部が押圧されることで前記電源コネクターから前記電源装置への電力供給を許容または遮断するインターロックスイッチを備え、
前記スイッチ部の押圧方向は、前記プロジェクターの高さ方向に直交するように設定されている
ことを特徴とするプロジェクター。
【請求項２】
請求項１に記載のプロジェクターにおいて、
前記蓋体の着脱に連動して前記スイッチ部を押圧するスイッチ押圧部を備える
ことを特徴とするプロジェクター。
【請求項３】
請求項２に記載のプロジェクターにおいて、
前記スイッチ押圧部は、
回動軸を中心に回動する回動部と、
この回動部から突出し、前記回動部の回動により前記スイッチ部を押圧する押圧作用部と、を備え、
前記蓋体は、着脱時に前記スイッチ押圧部に当接して当該回動部を回動させる作動用当接部を備える
ことを特徴とするプロジェクター。
【請求項４】
請求項３に記載のプロジェクターにおいて、
前記押圧作用部は、前記回動軸から離れた位置に設けられ、
前記作動用当接部は、前記蓋体の着脱時に前記回動部と前記押圧作用部との連結部分に当接可能に設けられている
ことを特徴とするプロジェクター。
【発明の詳細な説明】
【技術分野】
【０００１】
本発明は、プロジェクターに関する。
【背景技術】
【０００２】
従来、光源装置と、光源装置から出射された光束を画像情報に応じて変調して画像光を形成する光変調装置と、画像光をスクリーン等に拡大投射する投射光学装置とを備えたプロジェクターが知られている。
このようなプロジェクターでは、使用時間の経過に伴って光源装置から出射される光束の明るさが低下するため、利用者が光源装置を交換可能とする構造が採用される（例えば、特許文献１参照）。
ところで、利用者に安全な状態で光源装置を交換させるためには、光源装置の交換時において、電源装置から光源装置への電力供給を遮断する必要がある。
このため、特許文献１に記載のプロジェクターでは、光源装置を交換するために外装筐体に着脱自在に設けられる蓋体（ランプカバー）の着脱に連動して電源のオンオフを行うインターロックスイッチが設けられている。
具体的に、インターロックスイッチは、電源装置のシールドケースに固定されている。そして、外装筐体への蓋体の取り付け時には蓋体に設けられた作動用突起部にてインターロックスイッチが押圧され、光源装置への電力供給が許容される。また、蓋体の取り外し時（光源装置の交換時）には作動用突起部によるインターロックスイッチの押圧状態が解除され、光源装置への電力供給が遮断される。
【先行技術文献】
【特許文献】
【０００３】
【特許文献１】特開２００９−２１０８６０号公報
【発明の概要】
【発明が解決しようとする課題】
【０００４】
しかしながら、特許文献１に記載のプロジェクターでは、インターロックスイッチの押圧方向が、プロジェクターの高さ方向と略一致するように設定されている。また、インターロックスイッチは、その特性の制約から一定のサイズを必要とする。このため、外装筐体の薄型化を図れない。
【０００５】
本発明の目的は、インターロックスイッチを設けた場合であっても、薄型化が図れるプロジェクターを提供することにある。
【課題を解決するための手段】
【０００６】
本発明のプロジェクターは、光源装置と、電源コネクターを介して外部から供給された電力を前記光源装置に供給する電源装置と、前記光源装置および前記電源装置を内部に収納する外装筐体とを備えたプロジェクターであって、前記外装筐体には、前記光源装置の配設位置に対応した位置に交換用開口部が形成されているとともに、前記交換用開口部を閉塞する蓋体が着脱自在に設けられ、前記電源コネクターおよび前記電源装置間に電気的に接続され、前記蓋体の着脱に連動してスイッチ部が押圧されることで前記電源コネクターから前記電源装置への電力供給を許容または遮断するインターロックスイッチを備え、前記スイッチ部の押圧方向は、前記プロジェクターの高さ方向に直交するように設定されていることを特徴とする。
本発明によれば、インターロックスイッチのスイッチ部の押圧方向が、プロジェクターの高さ方向に直交するので、プロジェクターの薄型化を図れる。
【０００７】
本発明のプロジェクターでは、前記蓋体の着脱に連動して前記スイッチ部を押圧するスイッチ押圧部を備えることが好ましい。
本発明によれば、蓋体の着脱に連動するスイッチ押圧部を介してスイッチ部を押圧するので、スイッチ押圧部の構成や形状を調整することで、インターロックスイッチの配置位置を自由に設定できる。
【０００８】
本発明のプロジェクターでは、前記スイッチ押圧部は、回動軸を中心に回動する回動部と、この回動部から突出し、前記回動部の回動により前記スイッチ部を押圧する押圧作用部と、を備え、前記蓋体は、着脱時に前記スイッチ押圧部に当接して当該回動部を回動させる作動用当接部を備えることが好ましい。
本発明によれば、スイッチ押圧部と蓋体の作動用当接部との当接によって、スイッチ押圧部を回動させてスイッチ部を押圧するので、スイッチ押圧部の動作確保のためのスペースを最小限に抑えることができる。また、支点（回動軸）から力点（スイッチ押圧部における作動用当接部との当接部分）までの距離と、支点から作用点（押圧作用部とスイッチ部との当接部分）までの距離との比（レバー比）を調整することで、スイッチ部に対する押圧力を自由に設定できる。
【０００９】
本発明のプロジェクターでは、前記押圧作用部は、前記回動軸から離れた位置に設けられ、前記作動用当接部は、前記蓋体の着脱時に前記回動部と前記押圧作用部との連結部分に当接可能に設けられていることが好ましい。
ここで、回動部と押圧作用部との連結部分以外に力点を設定する場合、力点から作用点までの距離は、力点から連結部分までの距離と、連結部分から作用点までの距離との和になる。一方、本発明のように、回動部の回動軸から離れた位置に押圧作用部を連結し、連結部分に力点を設定する場合には、力点から作用点までの距離は、連結部分から作用点までの距離と略等しくなる。このことにより、本発明では、力点から作用点までの距離を最小限にすることができ、回動部等の撓みによる押圧力の低減を最小限に抑制でき、力点に作用する力を作用点に適切に伝達できる。
【図面の簡単な説明】
【００１０】
【図１】本実施形態におけるプロジェクターの外観を示す分解斜視図。
【図２】前記実施形態における外装筐体内部に収容される装置本体を模式的に示す図。
【図３】前記実施形態におけるランプカバーが交換用開口部に設置される前の状態を示す断面図。
【図４】前記実施形態におけるランプカバーが交換用開口部に設置された状態を示す断面図。
【発明を実施するための形態】
【００１１】
以下、本発明の実施の一形態を図面に基づいて説明する。
〔外観構成〕
図１は、第１実施形態におけるプロジェクター１の外観を示す分解斜視図である。具体的に、図１は、プロジェクター１を前面上方側から見た分解斜視図である。
なお、以下で記載する「上」、「下」、「左」、「右」は、図１における図面視において、上下左右に相当するものである。また、以下で説明する「前面」、「背面」も、図１における図面視において、前面および背面に相当するものである。
プロジェクター１は、画像情報に応じて光束を変調して天井面やスクリーン等の被投射面に投射する。このプロジェクター１は、図１に示すように、外装筐体２を備える。
【００１２】
外装筐体２は、プロジェクター１の装置本体を収納する。この外装筐体２は、図１に示すように、天面部２Ａ、前面部２Ｂ、背面部２Ｃ、左側面部２Ｄ、右側面部２Ｅ、底面部２Ｆを有する四角箱状に形成されている。
この外装筐体２において、天面部２Ａの背面左側の角隅部分には、後述する光源装置３１を交換するための交換用開口部８が形成されている。さらに、外装筐体２には、交換用開口部８を閉塞する蓋体としてのランプカバー９が着脱自在に設けられている。
なお、交換用開口部８、およびランプカバー９の詳細な形状については、後述する。
【００１３】
〔内部構成〕
図２は、外装筐体２内部に収容される装置本体を模式的に示す図である。
外装筐体２内部には、図２に示す装置本体が収容されている。そして、この装置本体は、光学ユニット３と、フィルター回路基板４と、電源装置５と、インターロックスイッチ６と、スイッチ押圧部７と、電源コネクター１０等を備える。
なお、具体的な図示は省略したが、外装筐体２内において、各部材３〜６以外の空間には、プロジェクター１内部に空気を導入させ内部の各構成部材を冷却する冷却ファン等を備えた冷却ユニット、プロジェクター１内部の空気を外部に排出する排気ファンや排気ダクト等を備えた排気装置、プロジェクター１の各構成部材の動作を制御する制御装置等が配置されるものとする。
また、電源コネクター１０は、外装筐体２の背面部２Ｃの右下角隅部分から外部に露出し、電源ケーブル（図示略）を挿し込みできるようになっている。
【００１４】
〔光学ユニットの構成〕
光学ユニット３は、図２に示すように、光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの出射側偏光板３５３、およびクロスダイクロイックプリズム３５４を有する光学装置３５と、投射レンズ３６と、内部の所定位置に各光学部品３２〜３５を収納する光学部品用筐体３７とを備える。
なお、上述した各光学部品３２〜３６については、種々の一般的なプロジェクターの光学系として利用されているため、具体的な説明を省略し、以下では、光源装置３１の構成のみを説明する。
【００１５】
光源装置３１は、前記制御装置による制御の下、電源装置５から供給される電力により点灯して光束を照明光学装置３２に出射する。この光源装置３１は、図２に示すように、光源ランプ３１１１およびリフレクター３１１２が一体化された光源装置本体３１１と、平行化レンズ３１２と、ランプハウジング３１３とを備える。
光源ランプ３１１１としては、ハロゲンランプやメタルハライドランプ、または高圧水銀ランプが用いられる。
リフレクター３１１２は、断面略凹状に拡がり凹状内側に形成された反射面にて光源ランプ３１１１から放射された光束を反射する。本実施形態では、リフレクター３１１２として、光源ランプ３１１１から放射された光束を所定位置に収束するように反射する楕円面リフレクターを採用している。なお、リフレクター３１１２としては、楕円面リフレクターの他、光源ランプ３１１１から出射された光束を略平行化して反射するパラボラリフレクターを用いてもよい。この場合には、リフレクター３１１２の光出射前方側に配置される平行化レンズ３１２を省略する。
平行化レンズ３１２は、リフレクター３１１２にて反射された光束を略平行化して出射する。
【００１６】
ランプハウジング３１３は、略直方体形状を有し、内部において光源装置本体３１１および平行化レンズ３１２を支持固定することで、光源装置本体３１１および平行化レンズ３１２を一体化する。そして、ランプハウジング３１３は、光学部品用筐体３７に接続し、光源装置本体３１１および平行化レンズ３１２を光学部品用筐体３７に対する所定位置に位置決めする。
この外面には、上方側に向けて突出するように、利用者により把持される図示しない把持部が設けられている。
【００１７】
そして、光学ユニット３では、上述した構成により、光源装置３１から出射され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。各色光は、クロスダイクロイックプリズム３５４にて合成され、投射レンズ３６にてスクリーン（図示略）に拡大投射される。
【００１８】
〔フィルター回路基板の構成〕
フィルター回路基板４は、図２に示すように、背面右側の角隅部分に配設され、電源コネクター１０と図示しない第１ケーブルを介して接続する。そして、フィルター回路基板４は、電源コネクター１０を介して外部から供給される交流電流からノイズ、特に高周波ノイズを除去する。ここで、高周波ノイズが電流に含まれると、電子回路の動作に大きな影響を与えることとなり、動作不良の原因となる。この高周波ノイズをフィルター回路基板４に実装されたコイル素子等によって除去することにより、電源装置５等のプロジェクター１の電子部品の動作を安定化できる。
【００１９】
〔電源装置の構成〕
電源装置５は、フィルター回路基板４によってノイズが除去された交流電流に対して、ＡＣ／ＤＣ変換を実施し、所定の直流電圧を生成して、光源ランプ３１１１、前記冷却ファン、前記排気ファン、および前記制御装置等に出力する。この電源装置５は、図２に示すように、前面側の左右方向略中央部分に配設されている。この電源装置５としては、例えば、交流電流を整流して直流電流に変換するダイオードブリッジ等を有する整流回路や、入力した直流の電圧を所定の電圧に変換するＤＣ／ＤＣコンバーター等にて構成できる。
【００２０】
〔インターロックスイッチの構成〕
インターロックスイッチ６は、図２に示すように、フィルター回路基板４と電源装置５との間に図示しない第２ケーブルおよび第３ケーブルを介して接続し、スイッチ部６１が押圧されることで本体部６２内部において第２，第３ケーブル間を導通状態とし、スイッチ部６１への押圧が解除されることで本体部６２内部において第２，第３ケーブル間を非導通状態とするメカニカルスイッチで構成されている。
そして、インターロックスイッチ６は、電源装置５とランプハウジング３１３との間において、スイッチ部６１の先端面が左側に向き（外装筐体２の左側面部２Ｄと対向し）、かつ、押圧方向が左右方向（水平方向）となる状態で、図示しないスイッチ保持部に保持される。すなわち、インターロックスイッチ６は、スイッチ部６１の押圧方向がプロジェクター１の高さ方向と直交するように設定されている。
【００２１】
〔スイッチ押圧部の構成〕
図３は、ランプカバー９が交換用開口部８に設置される前の状態を示す断面図である。
スイッチ押圧部７は、詳しくは後述するが、ランプカバー９が交換用開口部８に着脱されるのに連動して、インターロックスイッチ６を押圧したり、押圧を解除したりする。このスイッチ押圧部７は、図２および図３に示すように、インターロックスイッチ６の上方に設けられた略板状の回動部７１を備える。
この回動部７１における本体部６２の上方に位置する右端側は、前後方向に延びる回動軸７２により、上下に回動可能に軸支されている。また、回動部７１の左端側（回動先端側）は、押圧が解除された状態のスイッチ部６１の先端よりも左側まで延び、かつ、ランプカバー９の装着時に後述する係合作動用突起部９１２と当接可能な位置まで延びている。
そして、回動部７１の回動先端側の下面には、当該下面に対して垂直方向に略板状に延びるように、すなわち当該下面から突出するように押圧作用部７３が設けられている。具体的に、押圧作用部７３は、回動部７１との連結部分７４に、係合作動用突起部９１２が当接するように設けられている。また、押圧作用部７３の延出方向の長さ寸法は、回動部７１の回動角度によらず、常にスイッチ部６１に当接可能な寸法に設定されている。
さらに、スイッチ押圧部７では、支点（回動軸７２）から力点（スイッチ押圧部７における係合作動用突起部９１２との当接部分）までの距離と、支点から作用点（押圧作用部７３とスイッチ部６１との当接部分）までの距離との比（レバー比）が１：１に設定されている。
【００２２】
〔交換用開口部の詳細な形状〕
交換用開口部８は、図１および図３に示すように、外装筐体２の外面から内部に向けて窪み、天面部２Ａから天面部２Ａに交差する背面部２Ｃおよび左側面部２Ｄにかけて設けられた凹部８０により形成されている。なお、以下では、説明の便宜上、天面部２Ａに形成された部位を第１凹部８１とし、背面部２Ｃに形成された部位を第２凹部８２とし、左側面部２Ｄに形成された部位を第３凹部８３とする。
そして、交換用開口部８は、光源装置３１の配設位置に対応した位置において、光源装置３１（ランプハウジング３１３）の平面形状に対応した形状を有している。また、第１凹部８１における前面側の縁部には、２つの図示しない係合用凹部が左右に並んで設けられている。
【００２３】
〔ランプカバーの詳細な形状〕
ランプカバー９は、図１および図３に示すように、凹部８０に対応した形状を有し、凹部８０に設置された状態で前後方向に摺動自在に設けられている。このランプカバー９は、外装筐体２に取り付けられた状態で、第１凹部８１に当接し外装筐体２の天面部２Ａの一部を構成する第１カバー部９１と、第２凹部８２に当接し外装筐体２の背面部２Ｃの一部を構成する第２カバー部９２と、第３凹部８３に当接し外装筐体２の左側面部２Ｄの一部を構成する第３カバー部９３とで構成されている。
【００２４】
第１カバー部９１には、前面側に向けて突出し、第１凹部８１の左側の係合用凹部に係合される係合用突起部９１１と、右側の係合用凹部に係合される作動用当接部としての係合作動用突起部９１２とが形成されている。係合作動用突起部９１２は、上下方向の寸法が係合用突起部９１１よりも大きく設定され、ランプカバー９が装着された際にスイッチ押圧部７の連結部分７４を押圧可能に構成されている。
なお、外装筐体２とランプカバー９には、ランプカバー９を取り付ける際に、ランプカバー９の左右方向の移動を規制する図示しない移動規制部や、外装筐体２とランプカバー９を係合などにより固定する図示しない固定部が設けられている。
【００２５】
〔ランプカバーの着脱によるインターロックスイッチの作動構造〕
次に、上述したランプカバー９の着脱によるインターロックスイッチ６の作動構造を説明する。
図４は、ランプカバー９が交換用開口部８に設置された状態（外装筐体２に対してランプカバー９が取り付けられる前の状態）を示す断面図である。
なお、以下では、説明の便宜上、図３に示すように、スイッチ押圧部７の回動部７１が水平な状態を未回動状態とする。
【００２６】
ランプカバー９が取り外された状態では、図３に示すように、係合作動用突起部９１２にてスイッチ押圧部７が押圧されないため未回動状態となっている。このため、スイッチ部６１が押圧されず、インターロックスイッチ６にて第２，第３ケーブル間が非導通状態とされる。すなわち、この状態では、電源コネクター１０およびフィルター回路基板４を介して外部から電源装置５への電力供給が遮断される。このため、例えば、電源コネクター１０に電源ケーブルが挿し込まれ、外部から電力が供給されている状態で、かつ、利用者により図示しない操作パネルに電源オンの入力操作が実施されている状態であっても、ランプカバー９が取り外されると、インターロックスイッチ６により第２，第３ケーブル間が非導通状態とされ、光源ランプ３１１１、前記冷却ファン、前記排気ファン、および前記制御装置等の駆動が停止される。
そして、利用者は、把持部を把持しながら交換用開口部８を介して光源装置３１を外装筐体２内外に挿抜することで、光源装置３１を交換する。
【００２７】
図３の状態から、外装筐体２に対してランプカバー９を取り付ける際には、先ず、図４に示すように、ランプカバー９を上方側から交換用開口部８に設置する。具体的に、第１カバー部９１の右縁と天面部２Ａとが当接し、第３カバー部９３の下縁と左側面部２Ｄとが当接し、第１カバー部９１の前縁と天面部２Ａとの間に隙間が形成され、さらには左右方向の移動規制部が機能するように、ランプカバー９を設置する。
この状態では、係合作動用突起部９１２が回動部７１の連結部分７４を押下し、この押下により回動部７１が回動する。そして、回動部７１が回動すると押圧作用部７３によりスイッチ部６１が押圧され、インターロックスイッチ６にて第２，第３ケーブル間が導通状態とされる。
【００２８】
次に、図４の状態から、交換用開口部８上でランプカバー９を前面側に摺動させ、ランプカバー９を図１に示す取付位置に位置付ける。ランプカバー９を取付位置に位置付けることで、ランプカバー９の係合用突起部９１１と係合作動用突起部９１２が、第１凹部８１の係合用凹部にそれぞれ係合されることにより、ランプカバー９の上方側への移動が規制される。
そして、係合作動用突起部９１２は、ランプカバー９が交換用開口部８に設置された状態から取付位置への摺動時において、連結部分７４上を摺動し、スイッチ部６１の押圧状態を継続する。
【００２９】
上述した本実施形態によれば、以下の効果がある。
本実施形態では、プロジェクター１を構成するインターロックスイッチ６は、スイッチ部６１の押圧方向が水平方向と一致するように（プロジェクター１の高さ方向と直交するように）構成されている。このことにより、プロジェクターの薄型化を図れる。
【００３０】
また、ランプカバー９の着脱に連動してスイッチ部６１を押圧するスイッチ押圧部７を設けているので、スイッチ押圧部７の構成や形状を調整することで、インターロックスイッチ６の配置位置を自由に設定できる。
【００３１】
さらに、スイッチ押圧部７は、回動軸７２を中心に回動する回動部７１と、この回動部７１から突出する押圧作用部７３とを備える。そして、ランプカバー９は、交換用開口部８に設置された際に、スイッチ押圧部７を押圧して回動部７１を回動させる係合作動用突起部９１２を備える。このことにより、スイッチ押圧部７の動作確保のためのスペースを最小限に抑えることができる。また、スイッチ押圧部７におけるレバー比を調整することで、スイッチ部６１に対する押圧力を自由に設定できる。
【００３２】
また、回動部７１の右端側には回動軸７２が設けられ、左端側には押圧作用部７３が設けられている。そして、係合作動用突起部９１２は、回動部７１と押圧作用部７３との連結部分７４を押圧する。すなわち、力点を連結部分７４に設定している。このことにより、力点から作用点までの距離を最小限にすることができ、回動部７１の撓みによる押圧力の低減を最小限に抑制でき、力点に作用する力を作用点に適切に伝達できる。
【００３３】
そして、回動部７１の下面から垂直方向に延びるように押圧作用部７３を設け、回動部７１の面方向とスイッチ部６１の押圧方向を一致させている。このことにより、力点の押圧開始時において、作用点の移動方向とスイッチ部６１の押圧方向とを略一致させることができる。したがって、スイッチ部６１の押圧量を回動部の回動量と略等しくでき、回動部７１に対する押圧量が少なくても、スイッチ部６１を適切な力で押圧できる。
【００３４】
なお、本発明は前述の実施形態に限定されるものではなく、本発明の目的を達成できる範囲での変形、改良等は本発明に含まれるものである。
前記実施形態では、ランプカバー９の係合作動用突起部９１２に、スイッチ押圧部７を押圧する機能と、ランプカバー９を外装筐体２に固定する機能とを持たせていたが、前記固定する機能を持たせなくてもよい。さらに、係合作動用突起部９１２を省略して、スイッチ押圧部７をランプカバー９の裏面にて押圧する構成としても構わない。また、スイッチ押圧部７を省略して、スイッチ部６１を係合作動用突起部９１２にて押圧する構成としても構わない。
【００３５】
前記実施形態では、スイッチ押圧部７として回動機構を採用したが、スライド機構を採用しても構わない。
前記実施形態では、押圧作用部７３は、回動部７１の左端側に設けられていたが、右端側すなわち回動軸７２が設けられた位置の下面から突出するように設けても構わない。
前記実施形態では、力点は、連結部分７４に設定されていたが、回動部７１の左端と回動軸７２との間であり、かつ、回動部７１を回動させることができれば、いかなる位置に設定しても構わない。
前記実施形態では、押圧作用部７３は、回動部７１の下面に対して垂直方向に突出していたが、下面に対して鋭角や鈍角をなす方向に突出しても構わない。
【００３６】
前記実施形態では、ランプカバー９は、天面部２Ａ側に設けられていたが、これに限らず、その他の側壁部２Ｂ〜２Ｆ側に設けた構成としても構わない。この際、インターロックスイッチ６におけるスイッチ部６１の位置や、スイッチ押圧部７の回動方向もランプカバー９の配設位置に応じて設定すればよい。
前記実施形態では、交換用開口部８上でランプカバー９を摺動させて外装筐体２に対してランプカバー９を取り付ける構成としていたが、これに限らず、外装筐体２に対して交換用開口部８の開口面に略直交する方向にランプカバー９を着脱する構成としても構わない。
【００３７】
前記実施形態では、光変調装置として、透過型の液晶パネル３５１を採用していたが、これに限らず、反射型の液晶パネル、あるいは、ＤＭＤ(Digital Micromirror Device)(米国テキサスインスツルメント社の商標)等を採用してもよい。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００３８】
本発明は、インターロックスイッチを設けた場合であっても、薄型化が図れるため、プレゼンテーションやホームシアターに用いられるプロジェクターに利用できる。
【符号の説明】
【００３９】
１…プロジェクター、２…外装筐体、５…電源装置、７…スイッチ押圧部、８…交換用開口部、９…ランプカバー（蓋体）、１０…電源コネクター、３１…光源装置、６１…スイッチ部、７１…回動部、７２…回動軸、７３…押圧作用部、９１２…係合作動用突起部（作動用当接部）。
【図１】
2011203622.tif 000003
【図２】
2011203622.tif 000004
【図３】
2011203622.tif 000005
【図４】
2011203622.tif 000006